(57)【要約】【課題】  フットレストや背凭れ部を回動させるために操作レバーを操作する時、操作レバーやガススプリング（伸縮装置）に必要以上の力が加わらないようにして、操作レバーや伸縮装置を保護することができる椅子を提供する。【解決手段】  座部２の前方にフットレスト６を回動自在に、また座部２の後方に背凭れ部３を起倒自在に設け、それぞれロック解除時に伸縮してフットレストや背凭れ部を回動させるガススプリング４６，２８と、これらのガススプリングを操作する操作レバー６０を備え、椅子の側面に凹部６２を形成し、この凹部６２内に、凹部外より操作可能に操作レバー６０を回動自在に枢支すると共に、操作レバーの回動範囲を規制するストパー部６９設ける。【選択図】    図１１
2005198873.tif 000002
【特許請求の範囲】
【請求項１】
座部と、座部の前方に回動自在に連結されたフットレストと、ロック解除時に伸縮してフットレストを回動させる伸縮装置と、該伸縮装置を操作する操作レバーとを備えた椅子において、椅子の側面に凹部を形成し、該凹部内に、凹部外より操作可能に前記操作レバーを回動自在に枢支すると共に、操作レバーの回動範囲を規制するストッパー部を設けてなる椅子。
【請求項２】
座部と、座部の後方に起倒自在に連結された背凭れ部と、ロック解除時に伸縮して背凭れ部を起倒させる伸縮装置と、該伸縮装置を操作する操作レバーとを備えた椅子において、椅子の側面に凹部を形成し、該凹部内に、凹部外より操作可能に前記操作レバーを回動自在に枢支すると共に、操作レバーの回動範囲を規制するストッパー部を設けてなる椅子。
【請求項３】
前記凹部内に、前記操作レバー枢支したホルダーを取付け、該ホルダーに、前記ストッパー部を形成してなる請求項１又は請求項２に記載の椅子。
【請求項４】
前記ホルダーに前記操作レバーを上下方向に回動自在に枢支し、前記ストッパー部は、前記操作レバーの上方への回動を規制するようにした請求項３に記載の椅子。
【請求項５】
前記操作レバーの上方への回動時に前記伸縮装置のロックを解除するようにした請求項４に記載の椅子。
【請求項６】
前記伸縮装置はガススプリングより構成される請求項１乃至請求項５のいづれかに記載の椅子。
【請求項７】
前記フットレストに、マッサージ装置を内蔵してなる請求項１に記載の椅子。
【請求項８】
前記背凭れ部に、マッサージ装置を内蔵してなる請求項１に記載の椅子。
【発明の詳細な説明】
【技術分野】
【０００１】
本発明は、座部の後方に起倒自在に連結された背凭れ部や座部の前方に回動自在に連結されたフットレストを具えた椅子に関するものである。
【背景技術】
【０００２】
座部の後方に連結された背凭れ部を起倒させたり、座部の前方に連結されたフットレストを回動させたりする手段として、ガススプリング等よりなる伸縮装置が安価な装置ゆえ広く用いられており、この伸縮装置はロック解除時に伸縮して、背凭れ部を起倒したりフットレストを回動させたりする。一般にこの伸縮装置を操作する操作レバーは、椅子の側面より突出して設けられている。 (例えば、特許文献１参照)。
【特許文献１】特開平８−８０３３２号公報
【発明の開示】
【発明が解決しようとする課題】
【０００３】
しかしながら、この特許文献に記載の椅子では、背凭れ部を起倒させるために、操作レバーを回動させる時、操作レバーが椅子側面より突出しているので、必要以上の力（ガススプリングのロックを解除するのに必要な力以上の力）で操作レバーを回動してしまい易く、その結果、操作レバーやガススプリングに無理な力が加わって、これらを破損させることがあるという問題があった。また椅子の側面に操作レバーが突出しているので、操作レバーに引っかかったり、不用意に操作レバーを回動してしまうこともあった。
【０００４】
本発明の目的は、操作レバーを回動させる時、操作レバーや伸縮装置に必要以上の力が加わらないようにして、操作レバーや伸縮装置を保護すると共に、操作レバーに引っかかったり、不用意に操作レバーを回動してしまうことのない椅子を提供することである。
【課題を解決するための手段】
【０００５】
上記課題を解決するために本発明は、座部と、座部の前方に回動自在に連結されたフットレストと、ロック解除時に伸縮してフットレストを回動させる伸縮装置と、伸縮装置を操作する操作レバーとを備えた椅子において、椅子の側面に凹部を形成し、この凹部内に、凹部外より操作可能に前記操作レバーを回動自在に枢支すると共に、操作レバーの回動範囲を規制するストッパー部を設けたものである。
【０００６】
また本発明は、座部と、座部の後方に起倒自在に連結された背凭れ部と、ロック解除時に伸縮して背凭れ部を起倒させる伸縮装置と、伸縮装置を操作する操作レバーとを備えた椅子において、椅子の側面に凹部を形成し、この凹部内に、凹部外より操作可能に前記操作レバーを回動自在に枢支すると共に、操作レバーの回動範囲を規制するストッパー部を設けたものである。
【０００７】
具体的には、前記凹部内に、前記操作レバー枢支したホルダーを取付け、このホルダーに、前記ストッパー部を形成したものである。
【０００８】
より具体的には、前記ホルダーに前記操作レバーを上下方向に回動自在に枢支し、前記ストッパー部は、操作レバーの上方への回動を規制するようにしたものである。また操作レバーの上方への回動時に前記伸縮装置のロックを解除するようにしたものである。
【発明の効果】
【０００９】
本発明によれば、フットレストを回動させようと操作レバーを回動させる時、その回動範囲がストッパー部により規制されるので、操作レバーや伸縮装置に必要以上の力が加わらないようにして、操作レバーや伸縮装置を保護することができると共に、椅子の側面に形成した凹部内に、操作レバーが回動自在に枢支されているので、操作レバーに引っかかったり、不用意に操作レバーを回動してしまうことがない。
【００１０】
また本発明によれば、背凭れ部を回動させようと操作レバーを回動させる時、その回動範囲がストッパー部により規制されるので、操作レバーや伸縮装置に必要以上の力が加わらないようにして、操作レバーや伸縮装置を保護することができると共に、椅子の側面に形成した凹部内に、操作レバーが回動自在に枢支されているので、操作レバーに引っかかったり、不用意に操作レバーを回動してしまうことがない。
【００１１】
また、凹部内に、操作レバーを枢支したホルダーを取付け、このホルダーにストッパー部を形成したので、操作レバーをホルダーを介して堅個に取付けることができると共に、このホルダーを利用してストッパー部が得られ、部品点数を削減して構造の簡素化が図れる。
【００１２】
また、ホルダーに操作レバーを上下方向に回動自在に枢支して、ストッパー部は、操作レバーの上方への回動を規制するようにすれば、フットレストや背凭れ部を回動したり起倒する時にはふんばろうとして力みやすいが、力んで強い力を操作レバーに加えても、操作レバーがストッパー部に当たり、必要以上に操作レバーが回動することなく、操作レバーや伸縮装置を保護できると共に、フットレストや背凭れ部を回動したり起倒したりする際に生ずる強い力はストッパー部で受け止められるので、フットレストの回動や背凭れ部の起倒が容易にできるようになる。
【発明を実施するための最良の形態】
【００１３】
以下、本発明の椅子を、背凭れ部やフットレストにマッサージ装置を内蔵した椅子式のマッサージ機を例として説明する。ここで便宜上、椅子に座った被施療者の右手側を右方、左手側を左方、胸側を前方、背中側を後方とする。図１は椅子式マッサージ機１の右前方から見た斜視図、図２は同マッサージ機の右後方から見た斜視図、図３は同マッサージ機の側面図、図４は同マッサージ機の側面図で、後述する左側のアームレスト７及び側板８さらには枕９１を外した状態である。
椅子式マッサージ機１は、被施療者が腰掛ける座部２の後方に背凭れ部３、前方に被施療者のふくらはぎを載置するふくらはぎ載置部４とふくらはぎ載置部４の下端に連結される被施療者の足先を置く足先載置部５からなるフットレスト６、左右のアームレスト７、アームレスト７が取付けられる左右の側板８、これら座部２、背凭れ部３、フットレスト６、側板８等を支持する角材やパイプ材からなる後述のフレーム機構９を具えて構成される。
背凭れ部３は、座部２に対して起倒可能且つ任意の位置で位置決め可能に連結される。座部２の前方に上下に回動自在に且つ任意の位置で位置決め可能に連結される。また、足先載置部５は、ふくらはぎ載置部４に回動自在に連結される。
【００１４】
背凭れ部３内には、被施療者の肩、背中、腰等を揉んだり叩いたりする公知のマッサージ装置（図示せず）が、背凭れ部３に沿って昇降可能に配備される。また背凭れ部３の上部には前記枕９１が取り付けられている。
【００１５】
ふくらはぎ載置部４は、図１に示すように、被施療者の左右のふくらはぎを夫々挿入する一対の樋状凹部１０、１０を有している。各樋状凹部１０の内側面には、ふくらはぎを側面から押圧する側面エアバック（ふくらはぎ載置部４全体を覆う布カバーにより隠れて見えない）が配備され、この側面エアバックは、エアポンプ（図示せず）からの空気の供給を受けることにより膨張して、ふくらはぎを側方から押圧し、供給された空気を排気することにより収縮して押圧を解除し、この膨張収縮を繰り返すことによりふくらはぎをマッサージする。
【００１６】
足先載置部５も、図１に示すように、被施療者の左右の足先（踝よりも先の部分）を夫々挿入する一対の樋状凹部１１、１１を有している。各樋状凹部１１の内側面には、足先を側面から押圧する側面エアバック（足先載置部５全体を覆う布カバーにより隠れて見えない）が配備され、この側面エアバックも、エアポンプ（図示せず）からの空気の供給を受けることにより膨張して、足先を側方から押圧し、供給された空気を排気することにより収縮して押圧を解除し、この膨張収縮を繰り返すことにより足先をマッサージする。これらの側面エアバックがフットレスト６のマッサージ装置となる。
【００１７】
図５は前記フレーム機構９とアームレスト７及び側板８を示す。フレーム機構９は大まかにいって、左右一対の前後に伸びるベースフレーム１２と、各ベースフレーム１２間を連結する２本の連結フレーム１３と、各ベースフレーム１２の前後に立設された支柱フレーム１４、１５と、各前後の支柱フレーム１４，１５の上端を連結する側方連結フレーム１６と、左右の側方連結フレーム１６の前端を連結する前方連結フレーム１７とから構成される。
【００１８】
左右の側板８は、ブロー成形より構成され、その取付けは、まずその底面の前方に突設した突起１８をベースフレーム１２の上面に設けた角穴１９に嵌め込んで位置決めし、あとは前後の支柱フレーム１４，１５と側方連結フレーム１６の後端部に内側からネジ２０止めすることにより取付けられる。左右の側板８はブロー成形により形成されているので変形（前後方向に反る）しやすいが、変形しても突起１８と角孔１９にて位置決めしているので、あとのネジ止めする際にネジ穴とネジが容易に合致するので作業性を向上できる。
【００１９】
左右のアームレスト７もブロー成形により構成され、図の如くビーン状の形状になっている。このアームレスト７は、その下部が前後方向３箇所において、側板８の上部に内側からネジ２１止めされて取り付けられる。
【００２０】
その取付け構造として、まず図７のような構造が考えられる。即ち、アームレスト７の内側面にナット２２をインサート成形で取付け、側板８上部の内側よりネジ２１をこのナット２２にねじ込んで取付ける。アームレスト７は、図５に示すように、さらにその前方の内側面を、前方連結フレーム１７に固着した取付片２３にネジ２４止めすることで、フレーム機構９に取付けられる。
【００２１】
ところで、アームレスト７は被施療者から大きな力が加わりやすく、またアームレスト７と側板８は、どちらもブロー成形により構成されているため、図７のような取付け方法だと、強度不足になって左右にぐらつき易くなる。この強度不足を解消するためには、アームレスト７と側板８の接合を、図７のようなアームレスト７の内側面と側板８外側面だけの接合ではなく、アームレスト７の外側面と側板８内側面も接合させ、即ちたがいちがいに接合させて、アームレスト７の内側からだけでなく外側からもネジで固定するようにしたり、アームレスト７の上方も側板８に固定させる等の方法が考えられるが、ネジの数が増え、作業工数の増加、コストアップにつながるものである。
【００２２】
そこで本発明の実施例では、図６に示す如く、ネジの数を増やすこことなく簡単な構成で、アームレスト７を側板８に堅固に取付けることができる取付構造を採用している。即ち、図の如く、アームレスト７の内側面にナット２２をインサート成形で取り付け、このナット２２の裏側には、アームレスト７の外側面に通ずる貫通穴２５を形成する。そしてナット２２と螺合するネジ２１のナットより先が、この貫通穴２５と嵌合するようにする。このようにすることにより、アームレスト７の内側面だけでなく外側面もネジ２１により側板８に固定されたと同等になり、取付け強度を向上させ、アームレスト７の左右方向のぐらつきを防止することができる。従ってネジの数を増やすことなく、堅固にアームレスト７を取付けることができる。図６や図７において、２６はアームレスト７全体を覆うクッションである。
【００２３】
なお、図２で二点鎖線は、曲面を表すためのものである。また、図１において９０は、前方連結フレーム１７と前側の連結フレーム１３との開口を塞ぐ化粧カバーで、補強のために水平方向に複数の突部が形成されている。
【００２４】
座部２は側方連結フレーム１６と、前方連結フレーム１７上に設置される。背凭れ部３は、その左右側面の下部が、側方連結フレーム１６の後端に突設した支軸２７に回動自在に取り付けられている。図４において、２８はガススプリングよりなる伸縮装置で、その一端は、背凭れ部３の下部に支軸２９にて枢支連結されており、その他端は、前方連結フレーム１７の下面に固着したブラケット３０に枢支連結されている。
【００２５】
ガススプリング２８は周知のもので、シリンダ３１内をピストンロッド３２が出没自在になっており、常時ピストンロッド３２はシリンダ３１より突出する方向に付勢されている。ガススプリング２８は後述する操作レバーを操作して、そのロックを解除することにより伸縮自在となり、この状態で、背凭れ部３をガススプリング２８の付勢力に抗して後方へ倒すことにより、ピストンロッド３２は、シリンダ３１内へ挿入し、操作レバーの操作を解除することによりロックされて、その位置（背凭れ部３が任意の角度まで倒れた位置）で固定され、操作レバーを再操作してそのロックを解除し、背凭れ部３への人体からの圧力を解除することにより、前記ガススプリング２８の付勢力により、ピストンロッド３２がシリンダ３１より突出して背凭れ部３を起こすようになったものである。
【００２６】
次にフットレスト６の回動機構を説明する。ふくらはぎ載置部４はその底部の枠状（方形状）フレーム３４で骨組みが構成され、このフレーム３４の左右両端が上下に延長され、上方に延長された部分が、前方連結フレーム１７の左右両端に固着したブラケット３５に支軸３６により回動自在に連結されている。
【００２７】
足先載置部５はその底部の枠状（方形状）フレーム３７で骨組みが構成され、このフレーム３７の左右両側の中央付近より斜め上方へ突出片３８が突設され、この突出片３８の上端とふくらはぎ載置部の枠状フレーム３４の左右両端の前記下方へ延長した部分が、支軸３９で回動自在に連結されている。
【００２８】
また枠状フレーム３７の後側の中央部には後方へ若干突出した突部４０形成され、この突部４０にリンク４１の先端が支軸４２より回動自在に連結され、このリンク４１の基端は、前方連結フレーム１７の裏側に固着したブラケット４３に支軸４４により回動自在に連結されている。
【００２９】
４６はガススプリング２８と同様の伸縮装置となるガススプリングで、その上部のシリンダ４７は、前記ブラケット４３に回動自在に枢支された回動板４８の先端に枢支され、下部のピストンロッド４９は、連結フレーム１３の中央部に固着したブラケット５０に支軸５１によって枢支されている。詳細には、図４の円内拡大図に示すように、ピストンロッド４９の先端に固定金具５２が固着され、この固定金具５２が支軸５１によりブラケット５０に枢支されている。固定金具５２には操作金具５３の一端が支軸５４により枢支されており操作金具５３の他端には、操作ワイヤ５５の下端球部が係着されている。５７は操作ワイヤ５５のアウターチューブで、その下端は、固定金具５２にナット５８により取り付けられている。
【００３０】
操作ワイヤ５５は後述する操作レバー６０の操作により操作される。操作レバー６０の操作により操作ワイヤ５５を図で矢印方向に引き上げると、操作金具５３が回動してピストンロッド４９内のプッシュロッド５９を押し、ガススプリング４６のロック状態を解除する。ロックが解除されると、ガススプリング４６の付勢力によりピストンロッド４９が突出し、その結果、回動板４８を介してリンク４１を押し、フットレスト６を持ち上げていく。ピストンロッド４９は、操作レバーの操作を解除することによりロックされて、その位置（フットレスト６が任意の角度まで持ち上げられた位置）で固定される。図８はフットレスト６が最も持ち上げられた状態、図９はその中間位置まで持ち上げられた状態を示す。図８、図９及び後述する図１０において、フットレストに置いた人体の脚Ｋを太線で表している。
【００３１】
この持ち上げられた状態から、元へ戻すには、操作レバーを再操作してそのロックを解除し、ガススプリング４６の付勢力に抗して被施療者がフットレスト６下向きに回動させればよい。
【００３２】
フットレスト６を下向きに回動させる際に、本実施例のフットレスト６は、ふくらはぎ載置部４の先端に足先載置部５を連結した構造をとっているので、次のようなメリットがある。図８において、フットレストの回動支点３６（ふくらはぎ載置部４の回動支点）から、被施療者の脚Ｋがフットレスト６に下向きの力Ｆ１を加える部分（かかとの部分）までの距離Ｌ１が、図１０のようなふくらはぎ載置部４のみで足先載置部がないフットレストの場合の、被施療者の脚Ｋがフットレストに下向きの力Ｆ２を加える部分（ふくらはぎの部分）までの距離Ｌ２に比べて長くなり、その分小さな力でフットレスト６を回動させることができる。また、本実施例のフットレスト６はさらに、足先載置部５がフットレスト６の回動位置にかかわらずほぼ水平状態を保つので、図９のようにある程度までフットレスト６が押し下げられると、足先の裏面全体で足先載置部５を踏んづけてその力Ｆ３でもって楽にフットレスト６を元の位置まで押し下げることができる。従って、フットレスト６を押し下げる操作が楽に行え、特に力の弱いお年寄りとか女性にとっては、好ましいものとなる。
【００３３】
次にガススプリング４６を操作する操作レバー６０について図１１及び図１２に基づいて説明する。アームレスト７と側板８は、前述の如く、アームレスト７の内側面と側板８の外側面とを接合させて、この接合面を３カ所においてボス２１により固定しているが、アームレスト７の下面のほぼ中央部は、側板８との接合部分を少なくするように上方へ窪んでおり、この窪んだ部分６１により、アームレスト７と側板８とで凹部６２が形成されている。
【００３４】
凹部６２に臨む側板８の外側面には方形状の穴６３が形成されている。この穴６３の周囲には、合成樹脂製のホルダー６４の周囲４カ所がネジ６５止めされ、取り付けられている。ホルダー６４にも、前記穴６３と対面する位置に開口６６が形成されている。ホルダー６４の一部は穴６３より側板８内へ侵入しており、この侵入した部分には左右より一対の円筒状水平軸６７が一体に形成されている。ホルダー６４の水平軸６７とは反対側即ち外側には、水平部分と垂直部分からなる庇６８が一体に形成され、この庇の水平部分６９が後述するストッパー部になる。庇６８の垂直部分の左右両端にはボス７０が形成され、このボス７０にカバー７１がネジ７２止めされ、取り付けられている。このカバー７１は、図１１の円内拡大図から明らかなように、アームレストの７周囲を覆ったクッション２６を押さえつけている。
【００３５】
このようにセットされたホルダー６４に、操作レバー６０が取り付けられる。操作レバー６０は、ホルダー６４の開口６６、側板８の穴６３を介して、その先端が側板８内に挿入され、操作レバー６０のこの挿入された先端部分には、前記水平軸６７に上方から嵌合する軸受７４が形成され、この軸受７４と水平軸６７の嵌合により操作レバー６０は回動自在になっている。操作レバー６０の中央部には、凹状の係着部７５が形成され、この係着部７５に前記操作ワイヤ５５の上端の球部が係着される。操作ワイヤ５５の前記アウターチューブ５７の上端は、ホルダー６４に形成したチューブ保持部７６をナット７７、７７で挟着することにより取り付けられている。
【００３６】
操作ワイヤ５５は常時ガススプリング４６の付勢力によって図１１で下方に引っ張られており、そのため、常時操作レバー６０は同図の実線状態にある（ガススプリング４６のロック状態）。ロックを解除するためには、操作レバー６０を水平軸６７を中心に破線のように上方へ回動させる。すると前述の如く操作金具５３が回動してロック状態を解除する。この状態で、フットレスト６を任意の位置まで持ち上げる。
【００３７】
操作レバー６０を上方へ回動してロック状態を解除した状態では、操作レバー６０は破線のように前記ストッパー部６９に当接して、これ以上回動しようと力を入れても回動しない。つまり操作レバー６０の回動範囲は、ストッパー部６９に当接することによって、ロック状態を解除するのに必要な最小限の範囲だけに規制されている。
【００３８】
従って、操作レバー６０に必要以上の外力が加わって、操作レバー６０を破損したり、ガススプリング４６に必要以上の外力が加えられて破損したりすることを未然に防止することができる。
【００３９】
また操作レバー６０は凹部６２内に収納されて配置されているので、外側に突出せず、そのため、操作レバー６０に引っかかることはなく、また不用意に誤って操作されることを防止できる。
【００４０】
また、操作レバー６０をホルダー６４に取付け、このホルダー６４にストッパー部６９を形成したので、操作レバー６０をホルダー６４を介して堅個に取付けることができると共に、ホルダー６４を利用してストッパー部６９が得られ、部品点数を削減して構造の簡素化が図れる。
【００４１】
以上の説明では、フットレスト６を操作する操作レバー６０について述べたが、背凭れ部３を操作するガススプリング２８用の操作レバーについても同じ構造になっている。即ち、フットレストを操作する操作レバー６０は、右側の側板８に取り付けられているが、左側の側板８にも同じ構造の背凭れ部３を操作する操作レバー６０が取り付けられいる。
【００４２】
また以上の実施例では、操作レバー６０を上方へ回動してロック状態を解除し、フットレスト６を上方又は下方に回動し、あるいは背凭れ部３を起倒するものであるが、このフットレスト６を回動させる時や背凭れ部３を起倒するときは、被施療者はふんばろうとして力みやすく、（特にフットレスト６を押し下げるときや背凭れ部３を倒すとき）操作レバー６０を強く引き上げようとする。しかし強く引き上げようとしても操作レバーはストッパー部６９に当接しているので、操作レバー６０はこれ以上回動させられることはなく保護でき、一方ストッパー部６９によって被施療者は強く力を入れることができ、フットレスト６の回動や背凭れ部３の起倒が容易にできるようになる。
【００４３】
また以上の実施例では、操作レバー６０を上方へ回動してロック状態を解除するようにしているが、下方へ回動してロックを解除し、この下方への回動をストッパー部によって規制するようにすることもできる。また操作レバー６０の回動方向を上下でなく、前後方向に回動してロック状態を解除し、この解除するときの回動範囲をストッパー部によって規制することもできる。
【００４４】
上記実施例の説明は、本発明を説明するためのものであって、特許請求の範囲に記載の発明を限定し、あるいは範囲を縮減するよう解釈すべきではない。また本発明の各部構成は上記実施例に限らず、特許請求の範囲に記載の技術的範囲内で種々の変形が可能である。
【００４５】
例えば伸縮装置としてガススプリング２８，４６を用いているが、ガスの代わりに通常の巻きバネを用いることも可能である。
【産業上の利用可能性】
【００４６】
本発明の椅子の活用例として、実施例のようにマッサージ装置を内蔵した椅子式マッサージ機に用いることもできるが、その他の安楽椅子等活用することができる。
【図面の簡単な説明】
【００４７】
【図１】本発明の椅子を用いた椅子式マッサージ機の右前方から見た斜視図である。
【図２】同マッサージ機の右後方から見た斜視図である。
【図３】同マッサージ機の側面図である。
【図４】同マッサージ機の左側のアームレスト及び側板を外した状態の側面図と、その円内拡大図である。
【図５】同マッサージ機のフレーム機構、側板及びアームレストの分解斜視図である。
【図６】同マッサージ機のアームレストと側板の取り付け部分の縦断面図と、その円内拡大図である。
【図７】同マッサージ機のアームレストと側板の他の取り付け構造を示す縦断面図と、その円内拡大図である。
【図８】同マッサージ機のフットレストを最上位置まで持ち上げ、且つ左側のアームレスト及び側板を外した状態の側面図である。
【図９】同マッサージ機のフットレストを中間位置まで持ち上げ、且つ左側のアームレスト及び側板を外した状態の側面図である。
【図１０】同マッサージ機のフットレストの他の実施例を示す図８に相当する側面図である。
【図１１】同マッサージ機の右側のアームレストと側板の操作レバー取付部分の後方へ見た縦断面図と、その円内拡大図である。
【図１２】同マッサージ機の側板とホルダーと操作レバーの分解斜視図である。
【符号の説明】
【００４８】
２      座部
６      フットレスト
４６    ガススプリング（伸縮装置）
６０    操作レバー
６２    凹部
６９    ストッパー部
３    背凭れ部
２８    ガススプリング（伸縮装置）
６４    ホルダー
【図１】
2005198873.tif 000003
【図２】
2005198873.tif 000004
【図３】
2005198873.tif 000005
【図４】
2005198873.tif 000006
【図５】
2005198873.tif 000007
【図６】
2005198873.tif 000008
【図７】
2005198873.tif 000009
【図８】
2005198873.tif 000010
【図９】
2005198873.tif 000011
【図１０】
2005198873.tif 000012
【図１１】
2005198873.tif 000013
【図１２】
2005198873.tif 000014